(57)【要約】【課題】読み取り中止対象以外の組媒体を読み取ることができる画像読取装置を提供する。【解決手段】複数の組媒体が積み上げられた媒体載置台から、媒体搬送部が媒体を順次内部に搬送し、媒体特徴検出部は、媒体搬送部から搬送される媒体の特徴を検出し、特徴判定部は、媒体搬送部から搬送された媒体が、その直前に搬送された媒体と同じ組媒体の媒体であるか、または、新たな組媒体から搬送された１枚目の媒体であるかを判定する。そして、読み飛ばし判定部１３は、操作入力部から読取中止指示が入力されていれば、媒体搬送部から新たな組媒体の媒体が搬送されるまで、画像読取部に媒体を読み取らせない指示を出力し、画像読取部を制御して媒体を読み飛ばさせる。【選択図】図２
2011109610.tif 000002
【特許請求の範囲】
【請求項１】
１または複数の媒体からなる組媒体が複数積み上げられる媒体載置台と、前記媒体載置台から前記媒体を順次内部に搬送し外部に搬出する媒体搬送部と、搬送経路上で前記媒体の画像を読み取る画像読取部とを備える画像読取装置であって、
ユーザから読取中止指示が入力される入力部と、
前記搬送される媒体の形状特徴データを検出する媒体特徴検出部と、
前記媒体特徴検出部が検出した第１の形状特徴データと、その直前に搬送された媒体から検出した第２の形状特徴データとの双方を比較する特徴判定部と、
前記読取中止指示が入力されてから、前記特徴判定部にて前記第１の形状特徴データと前記第２の形状特徴データとが不一致と判定されるまで、前記画像読取部が前記媒体の画像の読み飛ばし制御させる読み飛ばし判定部と
をさらに備えることを特徴とする画像読取装置。
【請求項２】
前記媒体特徴検出部は、前記媒体の辺の長さと、前記媒体のサイズと、前記媒体載置台で載置していたときの前記媒体の向きと、前記媒体載置台で載置していたときの前記媒体の位置とのうちの少なくとも一つを前記形状特徴データとして検出することを特徴とする請求項１に記載された画像読取装置。
【請求項３】
前記読み飛ばし判定部は、前記入力部から読取中止指示が入力された回数と、前記特徴判定部にて前記第１の形状特徴データと前記第２の形状特徴データとの双方が不一致と判定された回数とが一致するまで、前記画像読取部に前記媒体の画像を読み取らせないことを特徴とする請求項１または請求項２に記載された画像読取装置。
【請求項４】
前記読み飛ばし判定部は、前記入力部からの読取中止指示が入力された回数を記憶するキャンセルカウント部をさらに備え、
前記特徴判定部にて前記第１の形状特徴データと前記第２の形状特徴データとの双方が不一致と判定されたときに、前記キャンセルカウント部の数値を１減らし、前記キャンセルカウント部の数値が０になるまで、前記画像読取部に前記媒体の画像を読み取らせないことを特徴とする請求項３に記載された画像読取装置。
【請求項５】
前記画像読取部が前記媒体を読み取ったデータから画像データを生成する画像データ生成部をさらに備える請求項１ないし請求項４のいずれか１項に記載された画像読取装置。
【請求項６】
請求項５に記載された画像読取装置と、
前記画像データの画像を形成する画像形成装置と
を備えたことを特徴とする複合機
【発明の詳細な説明】
【技術分野】
【０００１】
本発明は、画像読取装置に関し、特に、媒体載置台に載置された組媒体から順次媒体を取り込み、その媒体を読み取る画像読取装置に関する。
【背景技術】
【０００２】
従来の画像読取装置は、原稿（媒体）が載置される原稿トレイ（媒体載置台）を備え、その媒体載置台に積み上げられた、まとめられて組となった原稿（媒体）の組原稿（組媒体）から原稿を１枚ずつ画像読取装置の内部に自動で取り込み、その原稿を読み取って画像データを生成し、そして、画像形成装置が画像データを用いて画像を形成する（特許文献１）。
そして、従来の画像読取装置は、一つの組原稿を載置することを前提としており、従来の画像読取装置が備える、原稿を読み取って画像データを生成する処理（画像読取処理）を中止する機能は、原稿トレイに載置された組原稿のすべてを対象として行われていた。すなわち、画像読取処理を中止する機能とは、ユーザが画像読取処理の中止を指示（読取中止指示）した時点で、原稿トレイに載置されたすべての組原稿に対する画像読取処理を中断し、または、原稿トレイに載置されたすべての原稿を内部に自動で取り込むものの原稿を読み取らずに（画像データの生成をせずに）、そのまま、原稿を画像読取装置の外部に搬出していた。
そして、画像読取装置が現在読み取り中の組原稿のみを読み取り中止させる場合、例えば、ユーザによって、原稿トレイに載置された組原稿が画像読取装置により読み取られていて、緊急にその組原稿の読み取りだけを中止させたい場合、ユーザは、まず画像読取装置に読取中止指示を行い、その後、原稿トレイに載置された、または、外部に搬出されたすべての組原稿から、読取中止対象の組原稿を取り除いてから、再度、その他の読取中止対象外の組原稿を原稿トレイに積み上げ、画像読取装置に画像読取処理を開始させる手順を要していた。
【先行技術文献】
【特許文献】
【０００３】
【特許文献１】特開２００９−１８２９４９号公報（図４）
【発明の概要】
【発明が解決しようとする課題】
【０００４】
しかしながら、従来の画像読取装置は、ユーザから読取中止指示を受けた場合、読取中止対象の組原稿の原稿だけを読み取らずに（読み飛ばして）外部に搬出するということができないという問題がある。
【０００５】
本発明は、以上のような問題を解決するためになされたものであり、読み取り中止対象以外の組媒体（組原稿）を読み取ることができる画像読取装置およびそれと画像形成装置とを備える複合機を提供することを課題とする。
【課題を解決するための手段】
【０００６】
前記課題を解決するために、本発明の画像読取装置は、１または複数の媒体からなる組媒体が複数積み上げられる媒体載置台と、前記媒体載置台から前記媒体を順次内部に搬送し外部に搬出する媒体搬送部と、搬送経路上で前記媒体の画像を読み取る画像読取部とを備え、さらに、読取中止指示が入力される入力部と、前記媒体の形状特徴データを検出する媒体特徴検出部と、前記媒体から検出した第１の形状特徴データとその直前に搬送された媒体から検出した第２の形状特徴データとの双方を比較する特徴判定部と、読取中止指示が入力されてから、前記特徴判定部にて不一致と判定されるまで、画像読取部が媒体の画像を読み取らないように制御する読み飛ばし判定部とを備える。
【０００７】
媒体載置台に組媒体を積み上げるとき、その組媒体の長辺の長さとその直下の組媒体の長辺の長さとの双方が合致しないように積み上げる。これにより、媒体特徴検出部は、新たな組媒体の媒体が搬送されたときに、直前に搬送された媒体から検出した形状特徴データとは異なる形状特徴データを検出する。
【０００８】
本発明の複合機は、前記画像読取部が前記媒体を読み取ったデータから画像データを生成する画像データ生成部をさらに備える画像読取装置と、前記画像データの画像を形成する画像形成装置とを備える。
【発明の効果】
【０００９】
本発明によれば、組媒体から読取中止対象の組媒体のみを読み飛ばすことができる。
このため、従来の画像読取装置で行われていた、組媒体から読取中止対象の組媒体のみを取り除く作業や、再度、その他の読取中止対象外の組媒体を媒体載置台に積み上げて、画像読取装置に画像読取処理を開始させる作業を行う手間を省くことができる。
【図面の簡単な説明】
【００１０】
【図１】本発明に係る画像読取装置を備える複合機を含む印刷システムを示す図である。
【図２】第１の実施形態に係る画像読取装置のブロック図である。
【図３】（ａ）媒体載置台に積み上げられた組原稿の載置パターンの一例である。（ｂ）（ａ）に示す載置パターンで媒体載置台に積み上げられた組原稿の斜視図である。
【図４】第１の実施形態に係る画像読取装置の画像読取処理を含む動作のフローチャートである。
【図５】第２の実施形態に係る画像読取装置のブロック図である。
【図６】第２の実施形態に係る画像読取装置の画像読取処理を含む動作のフローチャートである。
【図７】（ａ）媒体載置台に積み上げられた組原稿の載置パターンの一例である。（ｂ）（ａ）に示す載置パターンで媒体載置台に積み上げられた組原稿の斜視図である。
【発明を実施するための形態】
【００１１】
《第１の実施形態》
［画像読取装置を備える複合機を含む印刷システム］
図１は、第１の実施形態に係る画像読取装置を備える複合機を含む印刷システムを示す図であり、印刷システム１００は、画像読取装置１と印刷部２（画像形成装置）と通信部３とを備える複合機４と、サーバ５と、通信端末装置６（６ａ，６ｂ，６ｃ，・・・）とを備える。また、複合機４およびサーバ５と、サーバ５およびそれぞれの通信端末装置６とは、ＬＡＮ（Local Area Network）などの有線／無線のネットワークＮ（Ｎ1，Ｎ2）でお互い接続され、通信端末装置６は、サーバ５を介して複合機４へのデータの送受信を行うことができる。
【００１２】
複合機４は、スキャナ機能やコピー機能、ファクシミリ機能などを備える一般的にＭＦＰ（Multifunction Peripheral）と称される装置であり、原稿などを読み取る画像読取装置１と、画像読取装置１が読み取った画像を印刷する印刷部２と、ネットワークＮ1と接続してサーバ５とデータの送受信を行う通信部３と、不図示の電話回線と接続してデータの送信を行う電話回線通信部（不図示）とを備える。
サーバ５は、通信端末装置６と複合機４とをネットワークＮ（Ｎ1，Ｎ2）でつなぐ中継装置であり、第１の実施形態においては、特にプリンタサーバとしての機能を有するコンピュータである。
通信端末装置６は、例えば、パーソナルコンピュータ（Personal Computer）などの装置であり、ネットワークＮ2と接続してサーバ５とデータの送受信を行う装置である。
【００１３】
以上に示す印刷システム１００により、ユーザは、遠隔地にある通信端末装置６を操作して、スキャナ機能の処理要求やコピー機能の処理要求、処理中断要求などの指示データを送信して、画像読取装置１を遠隔操作することができる。
【００１４】
［画像読取装置の構成］
次に、第１の実施形態に係る画像読取装置の構成について説明する。ここで、画像読取装置１が処理する媒体は、紙の原稿とし、その原稿の用紙サイズは、ＪＩＳ（Japanese Industrial Standards：日本工業規格）やＩＳＯ（International Organization for Standardization：国際標準化機構）で定められたサイズとする。
画像読取装置１は、図２に示すように、画像読取部１０と、媒体載置台２０と、媒体搬送部３０と、媒体搬出台４０と、操作入力部５０とを備え、媒体載置台２０に載置された原稿を媒体搬送部３０が取り込んで搬送し、画像読取部１０で原稿を読み取って、その読み取った原稿を媒体搬出台４０に搬出する装置である。
この画像読取装置１は、さらに、媒体特徴検出部１１と、特徴判定部１２と、読み飛ばし判定部１３とを備えている。この媒体特徴検出部１１は、媒体搬送部３０から搬送される原稿の特徴を検出し、特徴判定部１２は、媒体搬送部３０から搬送された原稿が、その直前に搬送された原稿と同じ組原稿の原稿であるか、または、新たな組原稿から搬送された１枚目の原稿であるかを判定する。そして、読み飛ばし判定部１３は、操作入力部５０から読取中止指示が入力されていれば、媒体搬送部３０から新たな組原稿の原稿が搬送されるまで、画像読取部１０に原稿を読み取らせない指示を出力し、画像読取部１０を制御して原稿を読み飛ばさせる機能を有する装置である。
【００１５】
なお、画像読取装置１は、図示を省略したＣＰＵ（Central Processing Unit）、ＲＯＭ（Read Only Memory）、ＲＡＭ（Random Access Memory）、ＨＤＤ（Hard Disc Drive）などを備えた一般的なコンピュータで構成することができ、コンピュータを前記した各手段として機能させるプログラムにより実現することができる。
【００１６】
［媒体載置台２０］
媒体載置台２０は、原稿１枚から複数枚を一つの組とした組原稿がいくつも積み上げられて載置される台であり、媒体載置台２０に設けられた媒体取込口２１から後記する媒体搬送部３０により、原稿が１枚ずつ順次、画像読取装置１の内部に取り込まれる。
ここで、媒体搬送部３０により、一番下に載置された原稿から順次取り込まれることとするが、一番上に載置された原稿から順次取り込まれることとしても構わない。
［組原稿の載置］
第１の実施形態の画像読取装置１において、ユーザは、媒体載置台２０に組原稿を載置するときに、直下の組原稿とは用紙サイズが異なるように載置したり、直下の組原稿の縦横の向きと異なるように向きを変えて載置したりすることとする。
【００１７】
例えば、媒体取込口２１の端点を原点とし、媒体載置台２０の組原稿が置かれる面をｘｙ平面とするｘｙｚ座標を設ける。ユーザはその原点上に組原稿の角がくるように、組原稿を順次載置していく。図３（ａ）および図３（ｂ）に示すように、ユーザは、まず、組原稿Ａ（用紙サイズ：Ａ４）を用紙の長辺がｘ軸上（媒体取込口２１と平行）となる向きに載置する。次に、ユーザは、組原稿Ａの上に、組原稿Ｂ（用紙サイズ：Ａ４）を用紙の長辺がｙ軸上（媒体取込口２１と直角）となる向きに載置する。次に、ユーザは、組原稿Ｂの上に、組原稿Ｃ（用紙サイズ：Ｂ５）を用紙の長辺がｘ軸上（媒体取込口２１と平行）となる向きに載置する。次に、ユーザは、組原稿Ｃの上に、組原稿Ｄ（用紙サイズ：Ａ４）を用紙の長辺がｙ軸上（媒体取込口２１と直角）となる向きに載置する。次に、ユーザは、組原稿Ｄの上に、組原稿Ｅ（用紙サイズ：Ｂ５）を用紙の長辺がｙ軸上（媒体取込口２１と直角）となる向きで載置する。
【００１８】
［媒体搬送部３０］
媒体搬送部３０は、媒体取込口２１から媒体載置台２０の一番下に載置された原稿から１枚ずつ取り込み、後記する媒体搬出台４０まで原稿を搬送するローラなどの駆動部により構成された搬送部である。
なお、媒体搬送部３０は、前記したように媒体載置台２０の一番上に載置された原稿から１枚ずつ順次取り込んでも構わない。
［媒体搬出台４０］
媒体搬出台４０は、媒体搬送部３０により搬送された原稿が排出される台であり、原稿の終着地点である。
【００１９】
［操作入力部５０］
操作入力部５０は、ユーザにより操作されてデータが入力されるタッチパネルやテンキー、ボタンなどの入力部であり、画像読取処理開始指示が入力されるスタートボタンや、読取中止指示が入力されるキャンセルボタンなどを有している。
【００２０】
［媒体特徴検出部１１］
媒体特徴検出部１１は、媒体搬送部３０により搬送される原稿から、用紙サイズや、媒体載置台２０に載置されていたときの原稿の向きなどの特徴を検出し、形状特徴データを生成する検出部である。
媒体特徴検出部１１は、赤外線やレーザ、光を用いたセンサなどで構成されている。この媒体特徴検出部１１は、原稿の１辺の長さ（辺の長さ）や、原稿が載置された向き（縦方向、横方向）、原稿の用紙サイズ（Ａ４，Ｂ４，Ａ５，Ｂ５，・・・）、原稿の載置位置などの特徴のうちの少なくとも一つを検出し、検出した特徴を表す形状特徴データを生成して、特徴判定部１２に出力する。
【００２１】
なお、形状特徴データを原稿が載置された向きとすることは、組原稿の用紙サイズがすべて同じである場合に有効であり、形状特徴データを原稿の用紙サイズとすることは、組原稿が載置された向きが同じである場合に有効である。そして、形状特徴データを原稿の用紙サイズとする場合、一般的な複合機やコピー機が備える用紙サイズ検出機能を利用してもよい。
なお、媒体特徴検出部１１が設置される場所は、原稿が媒体載置台２０から媒体搬送部３０により取り込まれてから、画像読取部１０に至るまでの移動経路上の場所であれば任意でよい。例えば、媒体特徴検出部１１は、媒体取込口２１（図３（ｂ）参照）の内面に設置されていてもよい。
【００２２】
［特徴判定部１２］
特徴判定部１２は、媒体特徴検出部１１から取得した形状特徴データ（ｋｄnとする；ｎは正の整数）と、特徴判定部１２が有するバッファメモリなどの記憶部（特徴記憶部１２１）に記憶された形状特徴データ（ｋｄn-1とする）とを比較する。合致したときには「合致」を示すデータ（判定結果「合致」）を、合致しないときには「非合致」を示すデータ（判定結果「非合致」）を読み飛ばし判定部１３に出力する判定部である。
ここで、特徴判定部１２はデータ（判定結果）を読み飛ばし判定部１３に出力後、媒体特徴検出部１１から取得した形状特徴データｋｄnを、特徴記憶部１２１に記憶する。このとき、特徴記憶部１２１に記憶されていた形状特徴データｋｄn-1（形状特徴データｋｄnの直前に搬送された原稿の形状特徴データ）は削除される（上書き保存する）。
なお、原稿の用紙サイズがＪＩＳやＩＳＯで定められたサイズである場合、特徴判定部１２に２ｃｍ程度の遊びを設定して、合致／非合致を判定するとよい。
【００２３】
［読み飛ばし判定部１３］
読み飛ばし判定部１３は、特徴判定部１２からのデータ（判定結果）を取得したことを契機に、操作入力部５０からの読取中止指示の入力の有無（ＯＮ／ＯＦＦ）と、判定結果とから、媒体搬送部３０から搬送される原稿を、画像読取部１０に原稿を読み取らせない（読み飛ばせる）指示を出力するか否かの読み飛ばし判定処理を行う判定部である。
【００２４】
また、読み飛ばし判定部１３は、ＯＮ／ＯＦＦの２値を示すフラグなどのスイッチ（不図示）を有する。操作入力部５０から読取中止指示が入力されたときに、読み飛ばし判定部１３はスイッチをＯＮとする一方、特徴判定部１２から取得したデータ（判定結果）が「非合致」であるときに、読み飛ばし判定部１３はスイッチをリセットしてＯＦＦとする。
【００２５】
読み飛ばし判定処理にて、操作入力部５０から読取中止指示が入力されており（ＯＮ）、かつ、判定結果が「合致」であるとき（つまり、媒体搬送部３０から搬送された原稿が同じ組原稿の原稿であるとき）、読み飛ばし判定部１３は、画像読取部１０に原稿を読み取らせない指示を出力して、読み飛ばし判定処理を終了する。
一方、操作入力部５０から読取中止指示が入力されていない（ＯＦＦ）ときには、読み飛ばし判定部１３は、そのまま読み飛ばし判定処理を終了する。
また、操作入力部５０から読取中止指示が入力されている（ＯＮ）ものの判定結果が「非合致」であるとき（つまり、媒体搬送部３０から搬送された原稿が新たな組原稿の１枚目の原稿であるとき）、読み飛ばし判定部１３は、読取中止指示が入力されていない状態にリセット（ＯＮからＯＦＦにする）してから、読み飛ばし判定処理を終了する。
【００２６】
当該構成を備える読み飛ばし判定部１３は、操作入力部５０から読取中止指示が入力されてから、特徴判定部１２から判定結果「非合致」を取得するまで、画像読取部１０に原稿を読み取らせない指示を出力して、画像読取部１０に原稿を読み飛ばさせる。
【００２７】
なお、読み飛ばし判定部１３は、バッファメモリなどの記憶部に、操作入力部５０から入力される読取中止指示を一旦記憶してもよく、読み飛ばし判定部１３は、読取中止指示が入力されたときにそれを記憶し、そして、リセット時に消去する構成であってもよい。
また、読み飛ばし判定部１３は、操作入力部５０から読取中止指示が入力されていない（ＯＦＦ）ときや、操作入力部５０から読取中止指示が入力されている（ＯＮ）ものの判定結果が「非合致」であるときに、画像読取部１０に原稿を読み取らせる（媒体の読み取りを許可する）指示を出力してから、読み飛ばし判定処理を終了する構成であってもよい。
【００２８】
また、特徴判定部１２および読み飛ばし判定部１３は、図２で破線で囲まれるように一つの制御部で構成されていてもよく、その制御部が、特徴判定部１２および読み飛ばし判定部１３の処理を行う構成であってもよい。
【００２９】
［画像読取部１０］
画像読取部１０は、媒体搬送部３０により搬送される原稿を所定のタイミングで搬送中に読み取る処理部であり、一般的なスキャナなどの画像読取装置が備える構成部である。そして、画像読取部１０は、その読み取った原稿から画像データを生成する画像データ生成部として機能する。
当該所定のタイミングは、媒体載置台２０に載置された原稿を媒体搬送部３０が取り込んでから、読み飛ばし判定部１３からの原稿を読み取らせない指示を取得するまでの時間を十分確保するタイミングである。
ここで、画像読取部１０は、読み飛ばし判定部１３からの原稿を読み取らせない指示を取得したとき、媒体搬送部３０により搬送される原稿を読み取らない。そして、この読み取られなかった原稿は、媒体搬送部３０により媒体搬出台４０に搬出され、結果的に画像読取装置１により読み飛ばされることになる。
【００３０】
なお、第１の実施形態の画像読取装置１は、ユーザが操作入力部５０を操作して読取中止指示を入力することにしている。しかしながら、画像読取装置１は、ユーザが、図１に示す通信端末装置６から読取中止指示を入力し、サーバ５から、複合機４が備える通信部３（入力部；図１）を介して、読取中止指示を取得する構成であってもよい。
【００３１】
［画像読取装置の画像読み取り動作］
次に、図４を参照して、画像読取装置１の画像読取処理を含む動作について説明する（適宜、図１ないし図２を参照）。
ここで、まず、ユーザにより、画像読取装置１の媒体載置台２０に組原稿（組原稿Ａ，Ｂ，Ｃ，・・・）が載置される。そして、例えば、ユーザが操作入力部５０にてスキャナスタートボタンを押すことにより、画像読取処理開始指示が入力され、画像読取装置１は画像読取処理を開始する。
ここで、特徴判定部１２が有するバッファメモリなどの記憶部（特徴記憶部１２１）には、原稿ｋn-1の形状特徴データｋｄn-1が記憶されているとする。
【００３２】
まず、媒体搬送部３０は、媒体載置台２０の媒体取込口２１から組原稿Ｋ（任意の組原稿）の原稿ｋnを取り込む（ステップＳ１０１）。
媒体特徴検出部１１は、搬送される原稿ｋnの形状特徴データｋｄnを検出し（ステップＳ１０２）、特徴判定部１２に形状特徴データｋｄnを出力する。
【００３３】
そして、特徴判定部１２は、取得した形状特徴データｋｄnと、特徴記憶部１２１に記憶された直前形状特徴データ（原稿ｋn-1の形状特徴データｋｄn-1）とを比較し、「合致／非合致」の判定結果を読み飛ばし判定部１３に出力する（ステップＳ１０３）。
そして、特徴判定部１２は、取得した形状特徴データｋｄnを、直前形状特徴データとして、特徴記憶部１２１に記憶させる（ステップＳ１０４）。
特徴判定部１２から判定結果を取得した読み飛ばし判定部１３は、まず、操作入力部５０から読取中止指示が入力されているか否かを判定（読み飛ばし判定処理開始）する（ステップＳ１０５）。
【００３４】
読取中止指示が入力されていない場合（ステップＳ１０５，ＯＦＦ）、読み飛ばし判定部１３は、読み飛ばし判定処理を終了し、次に特徴判定部１２から判定結果が入力されるまで待機する。また、特徴判定部１２は、次に媒体特徴検出部１１から原稿ｋn+1の形状特徴データｋｄn+1が入力されるまで待機する。
そして、画像読取部１０は、媒体搬送部３０から搬送される原稿ｋnを所定のタイミングで読み取る（ステップＳ１０６）。その後、媒体搬送部３０により媒体搬出台４０に原稿ｋnが搬出される（ステップＳ１０７）。
そして、媒体搬送部３０は、媒体載置台２０に媒体取込口２１から取り込める原稿があるか否かを判定する（ステップＳ１０８）。原稿があれば（ステップＳ１０８，Ｙｅｓ）、ステップＳ１０１に戻って次の原稿ｋn+1を取り込む、一方、原稿がなければ（ステップＳ１０８，Ｎｏ）、画像読取装置１は画像読取処理を終了する。
【００３５】
一方、ステップＳ１０５にて、読取中止指示が入力されている場合（ステップＳ１０５，ＯＮ）、読み飛ばし判定部１３は、特徴判定部１２の判定結果を判定する（ステップＳ１０９）。
［原稿ｋn-1＝原稿ｋn］
判定結果が「合致」のとき（ステップＳ１０９，合致）、読み飛ばし判定部１３は画像読取部１０に原稿を読み取らせない指示を出力し（読み飛ばし判定処理終了）、画像読取部１０に原稿を読み取らせない状態にする（ステップＳ１１０）。
そして、ステップＳ１０７の処理を行う。
【００３６】
［原稿ｋn-1≠原稿ｋn］
一方、判定結果が「非合致」のとき（ステップＳ１０９，非合致）、読み飛ばし判定部１３は、読取中止指示の入力をリセット（ＯＮからＯＦＦにする）する（ステップＳ１１１）。そして、読み飛ばし判定部１３は、読み飛ばし判定処理を終了し、次に特徴判定部１２から判定結果が入力されるまで待機する。また、特徴判定部１２は、次に媒体特徴検出部１１から原稿ｋn+1の形状特徴データｋｄn+1が入力されるまで待機する。
そして、ステップＳ１０６の処理を行う。
以上のように、画像読取装置１は、媒体載置台２０に載置された原稿が０枚になるまで（ステップＳ１０８で“Ｎｏ”と判定されるまで）、ステップＳ１０１〜ステップＳ１１１に示す処理を繰り返す。
【００３７】
これにより、画像読取装置１は、読取中止対象の組原稿のみを読み飛ばし、読み取り中止対象以外の組媒体（組原稿）を読み取ることができる。
【００３８】
《第２の実施形態》
［画像読取装置の構成］
次に、第２の実施形態に係る画像読取装置の構成について説明する。
図５に示すように、第２の実施形態に係る画像読取装置１Ａは、第１の実施形態に係る画像読取装置１の構成に、さらに、読み取りを中止するキャンセル数をカウントする読み飛ばし判定部１３Ａと、読取中止指示がユーザにより複数回入力される操作入力部５０Ａとを備えたものである。
ここで、読取中止指示の入力回数とは、媒体搬送部３０が取り込み中の組原稿を含めて、ユーザが読み取りを中止したい組原稿の数である。
【００３９】
［読み飛ばし判定部１３Ａ］
読み飛ばし判定部１３Ａは、操作入力部５０Ａからの読取中止指示の入力回数と、読み飛ばし判定部１３Ａが読み取りを中止した組原稿数とを算出する機能と、さらに、その算出結果の数値をキャンセル数として記憶するバッファメモリなどの記憶部（キャンセルカウント部１３１）を備え、キャンセルカウント部１３１に記録されたキャンセル数が“０”になるまで、画像読取部１０に原稿を読み取らせない（読み飛ばせる）指示を出力する読み飛ばし判定処理を行う判定部である。
この読み飛ばし判定部１３Ａは、ユーザが操作入力部５０Ａに入力した読取中止指示の回数を、キャンセルカウント部１３１のキャンセル数に加算して記憶する。
【００４０】
（読み飛ばし判定処理）
次に、読み飛ばし判定部１３Ａが行う読み飛ばし判定処理について説明する。
読み飛ばし判定部１３Ａは、特徴判定部１２からのデータ（判定結果）を取得したことを契機に、読み飛ばし判定処理を開始する。
読み飛ばし判定部１３Ａは、まず、キャンセルカウント部１３１に記憶されたキャンセル数が“０”より大きい（キャンセル数＞０）か否かと、特徴判定部１２の判定結果とを判定する。
キャンセル数＝０のとき、読み飛ばし判定部１３Ａは読み飛ばし判定処理を終了し、次に特徴判定部１２から判定結果が入力されるまで待機する。
一方、キャンセル数＞０のとき、かつ、判定結果が「合致」のとき（つまり、媒体搬送部３０から搬送された原稿が同じ組原稿の原稿であるとき）、読み飛ばし判定部１３Ａは、画像読取部１０に原稿を読み取らせない指示を出力して、読み飛ばし判定処理を終了する。
【００４１】
また、キャンセル数＞０のとき、かつ、判定結果が「非合致」のとき（つまり、媒体搬送部３０から搬送された原稿が新たな組原稿の１枚目の原稿であるとき）、読み飛ばし判定部１３Ａは、キャンセルカウント部１３１に記録されたキャンセル数から“１”を減算する（キャンセル数−１）。
そして、読み飛ばし判定部１３Ａは、再度、キャンセルカウント部１３１に記憶されたキャンセル数が“０”より大きい（キャンセル数＞０）か否かを判定する。
キャンセル数＝０のとき、読み飛ばし判定部１３Ａは読み飛ばし判定処理を終了し、次に特徴判定部１２から判定結果が入力されるまで待機する。
一方、キャンセル数＞０のとき（つまり、連続して組原稿の読取中止指示が入力されているとき）、読み飛ばし判定部１３Ａは、画像読取部１０に原稿を読み取らせない指示を出力して、読み飛ばし判定処理を終了する。
【００４２】
［画像読取装置の画像読み取り動作］
次に、図６を参照して、画像読取装置１Ａの画像読取処理を含む動作について説明する（適宜、図４ないし図５を参照）。ここで、第１の実施形態における画像読取装置１の画像読取処理（図４）と重複するステップＳ１０１〜ステップＳ１０４と、ステップＳ１０６〜ステップＳ１０８と、ステップＳ１１０との処理については、説明を省略する。
【００４３】
ステップＳ１０４（図４）の処理後、読み飛ばし判定部１３Ａは、特徴判定部１２から判定結果が入力されると、まず、キャンセルカウント部１３１に記憶されたキャンセル数が“０”より大きい（キャンセル数＞０）か否かを判定（読み飛ばし判定処理開始）する（ステップＳ２０１）。
キャンセル数＝０のとき（ステップＳ２０１，＝０）、読み飛ばし判定部１３Ａは、次に特徴判定部１２から判定結果が入力されるまで待機する。また、特徴判定部１２は、読み飛ばし判定処理を終了し、次に媒体特徴検出部１１から原稿ｋn+1の形状特徴データｋｄn+1が入力されるまで待機する。そして、ステップＳ１０６（図４）の処理が行われる。
【００４４】
一方、キャンセル数＞０のとき（ステップＳ２０１，＞０）、読み飛ばし判定部１３Ａは、特徴判定部１２の判定結果を判定する（ステップＳ２０２）。
［原稿ｋn-1＝原稿ｋn］
判定結果が「合致」のとき（ステップＳ２０２，合致）、読み飛ばし判定部１３Ａは画像読取部１０に原稿を読み取らせない指示を出力し（読み飛ばし判定処理終了）、画像読取部１０に原稿を読み取らせない状態にする（ステップＳ１１０（図４））。
［原稿ｋn-1≠原稿ｋn］
一方、判定結果が「非合致」のとき（ステップＳ２０２，非合致）、読み飛ばし判定部１３Ａは、キャンセルカウント部１３１に記録されたキャンセル数から“１”を減算する（キャンセル数−１）（ステップＳ２０３）。
【００４５】
そして、読み飛ばし判定部１３Ａは、再度、キャンセルカウント部１３１に記憶されたキャンセル数が“０”より大きい（キャンセル数＞０）か否かを判定する（ステップＳ２０４）。
キャンセル数＝０のとき（ステップＳ２０４，＝０）、読み飛ばし判定部１３Ａは、次に特徴判定部１２から判定結果が入力されるまで待機する。また、特徴判定部１２は、読み飛ばし判定処理を終了し、次に媒体特徴検出部１１から原稿ｋn+1の形状特徴データｋｄn+1が入力されるまで待機する。そして、ステップＳ１０６（図４）の処理が行われる。
一方、キャンセル数＞０のとき（ステップＳ２０４，＞０）、読み飛ばし判定部１３Ａは画像読取部１０に原稿を読み取らせない指示を出力し（読み飛ばし判定処理終了）、画像読取部１０に原稿を読み取らせない状態にする（ステップＳ１１０（図４））。
【００４６】
これにより、画像読取装置１Ａは、組原稿からキャンセル数分の読取中止対象の組原稿を読み飛ばし、読み取り中止対象以外の組媒体（組原稿）を読み取ることができる。
【００４７】
第１および第２の実施形態の画像読取装置によれば、媒体載置台２０に組原稿を載置する際に、載置される組原稿（直下の組原稿）の原稿と、（１）〜（３）に示す条件のうち一つでも成立するように組原稿を積み上げればよい。
（１）原稿の用紙サイズが異なる。
（２）原稿が置かれたされた向き（縦方向、横方向）が異なる。
（３）ｘｙ座標平面（図３（ｂ））上に置かれた原稿の４角の座標点が異なる。
これにより、第１および第２の実施形態の画像読取装置は、媒体載置台２０に組原稿を載置する際に組原稿ごとに区切る部材などを用いずに、組原稿を判別することができる。そのため、ユーザが組原稿を区切る部材をセットするなどの手間を省くことができる。
【００４８】
以上、本発明の実施形態について説明したが、本発明は前記した実施形態に限定されず、適宜変更して実施することが可能である。
例えば、画像読取装置１（１Ａ）は、複合機４に備えられるだけでなく、スキャナやファクシミリなど単体の装置に備えられてもよい。
【００４９】
ここで、媒体載置台に載置される組原稿の載置パターンは、図２に示すパターンだけではなく、先に読み取られる組原稿と、次に読み取られる組原稿とで、原稿から検出された形状特徴データが異なると特徴判定部１２が判定できる載置パターンであればよい。
例えば、図７（ａ）および図７（ｂ）に示すように、組原稿を、用紙の長辺がｘ軸上（媒体取込口２１と平行）となる向きで、用紙の短辺と直下の組原稿の用紙の短辺とが重ならないように、所定の間隔だけずらして載置してもよい。このとき、媒体取込口２１にセンサを設置することで、原稿を取り込んだときに、用紙が載置された位置を測定することができる。そのため、媒体特徴検出部１１は、原稿が置かれた位置を特徴とする形状特徴データを生成することができる。
媒体取込口２１に設置されるセンサは、媒体取込口２１の両端の内測面に設置されて、それぞれの端点から逆側の端点までの距離を測定するセンサであってもよいし、媒体取込口２１の下面に端点から逆側の端点まで所定の間隔で設置されて、上方を通過する原稿を検出するセンサであってもよい。この所定の間隔は１ｃｍ程度であることが好ましいが、紙のサイズに応じて適宜変更することが可能である。
【００５０】
ここで、１枚の原稿が画像読取装置の内部に取り込まれた時から、その原稿が読み取られて、外部に搬出された時までの時間（原稿を読み取る処理時間）Ｔ１と、ユーザにより読取中止指示がされたときに、１枚の原稿が内部に取り込まれた時から、その原稿が読み取られずに、そのまま画像読取装置の外部に搬出された時までの時間（原稿を読み飛ばす処理時間）Ｔ２とでは、原稿を読み飛ばす処理時間Ｔ２の方が短い。
これは、原稿を読み取る際に、原稿に照射される光量と、原稿の表面をスキャンするセンサの感度とに基づき、センサの感度と光量と読み取り解像度から導かれる単位距離（例：Ａ４用紙縦方向１枚）当たりの読み取り時間がかかるためです。また、センサ（画像読み取り部１０）が読み取ったデータを記憶部に転送する時間もかかります。
よって、第１および第２の実施形態に係る画像読取装置によれば、読取中止指示があった場合に原稿を読み飛ばして外部に排出することができる。そのため、原稿をすべて読み取って外部に排出する場合と比較して速く処理し、一つの組原稿の原稿すべてを読み取り終えるまでの時間を短縮することができる。
【００５１】
また、用紙サイズや載置方向などの組原稿を特定する情報を、ユーザが操作入力部５０に入力することで、特定の組原稿のすべての原稿が読み取られずに外部に搬出される構成であってもよい。例えば、特徴判定部１２が判定結果と共に、媒体特徴検出部１１から取得した形状特徴データを読み飛ばし判定部１３（１３Ａ）に出力することで、読み飛ばし判定部１３（１３Ａ）は、入力情報から得られる形状特徴データと、媒体特徴検出部１１から取得した形状特徴データとが一致するか否かを判定し、一致したときに、読取中止指示の入力が有り（ＯＮ）と判定し、一方、一致しないときに、読取中止指示の入力が無い（ＯＦＦ）と処理することで、実現することができる。
【符号の説明】
【００５２】
１      画像読取装置
２      印刷部（画像形成装置）
３      通信部（入力部）
１０    画像読取部（画像データ生成部）
１１    媒体特徴検出部
１２    特徴判定部
１３    読み飛ばし判定部
２０    媒体載置台
３０    媒体搬送部（搬送経路）
４０    媒体搬出台（外部）
５０    操作入力部（入力部）
１２１  特徴記憶部
【図１】
2011109610.tif 000003
【図２】
2011109610.tif 000004
【図３】
2011109610.tif 000005
【図４】
2011109610.tif 000006
【図５】
2011109610.tif 000007
【図６】
2011109610.tif 000008
【図７】
2011109610.tif 000009